(57)【要約】【課題】複数種類の侵入防止手段を組み合わせずとも、単一の手段でより確実にイノシシの侵入防止を図ることができるようにする。【解決手段】イノシシの侵入を防止すべく侵入防止区域を囲うイノシシ用防獣ネット１１において、使用時において上下方向となる幅方向に、透視を不可能にする目合の密織り部２１と、透視を可能にする目合の粗織り部３１とを並べて設ける。また、これら密織り部２１と粗織り部３１とを、イノシシが明確に識別できる青色又は青紫色の線状体で織成する。密織り部２１には、外方に向けて延びて地面を這う被覆部２３を設け、粗織り部３１には、外方に向けて傾斜する返し部３３を設ける。イノシシに対してイノシシ用防獣ネット１１の存在を明確に認識させ、侵入意欲を減退させる。【選択図】図１
2008187951.tif 000002
【特許請求の範囲】
【請求項１】
イノシシの侵入を防止すべく侵入防止区域を囲うイノシシ用防獣ネットであって、
使用時において上下方向となる幅方向に、透視を不可能にする目合の密織り部と、透視を可能にする目合の粗織り部とが併設され、
これら密織り部と粗織り部とが、青色又は青紫色の線状体で形成された
イノシシ用防獣ネット。
【請求項２】
前記粗織り部の幅方向の中間部分に、当該イノシシ用防獣ネットの長さ方向に沿って延びる線材が保持され、
該線材部分よりも反密織り部側の部分が、侵入防止区域を囲ったときに外方に向けて傾斜する返し部に設定された
請求項１に記載のイノシシ用防獣ネット。
【請求項３】
前記密織り部の幅方向の中間部分に、当該イノシシ用防獣ネットの長さ方向に沿って延びる線材が保持され、
該線材部分よりも反粗織り部側の部分が、侵入防止区域を囲ったときに外方に向けて延びて地面を這う被覆部に設定された
請求項１または請求項２に記載のイノシシ用防獣ネット。
【請求項４】
前記密織り部と粗織り部との境界部分に、当該イノシシ用防獣ネットの長さ方向に延びる線材が保持された
請求項１から請求項３のうちのいずれか一項に記載のイノシシ用防獣ネット。
【発明の詳細な説明】
【技術分野】
【０００１】
この発明は、イノシシによる被害を防止するために田畑等の侵入防止区域を囲繞するイノシシ用防獣ネットに関する。
【背景技術】
【０００２】
侵入防止区域を囲う侵入防止手段には、たとえば、トタン板、金網、有刺鉄線、電気柵、ネットなどがある。しかし、これらの手段にはそれぞれに一長一短があり、確実な効果を得にくい。
【０００３】
たとえば、トタン板や金網を用いた場合、設置場所の地面に起伏があると隙間ができてしまい、この部分をきっかけにしてトタン板の下をくぐったりトタン板を跳ね上げたりして侵入されてしまう。また、有刺鉄線は、毛深くて皮膚の丈夫なイノシシにはあまり有効ではなく、有刺鉄線間をすり抜けられたり、飛び越えられたりする。飛び越えることはイノシシの特技であり、助走なしに１ｍ以上を飛び越えることができるという。
【０００４】
電気柵の場合には、鼻先が触れない限りイノシシはショックを感じないので、効果があまりない。また、電気柵の使用に際しては、草刈等の管理が不可欠で、手間がかかる。草刈の手間を省くため、防草の目的で、電気の通り難い合成樹脂やゴムからなるマットやシートを敷くことが行われることがあるが、マット等の上に立ったイノシシの身体には電気が通りにくく、電気ショックが弱いため、効果がさらに失われてしまう。
【０００５】
一方、ネットは柔軟であるので、トタン板を用いた場合と異なり、地面との間に隙間ができるというような不都合がなくてよいが、囲繞した部分の中が見えるという難点がある。つまり視覚的遮断効果がないので、ネットが食い破られたりして侵入を許すことがある。正確には、イノシシは一定の色以外の色は灰色と同じような色に見えて、識別ができないといわれている。このため、ネットを食い破るといっても、実際には、嗅覚で察知した作物等を獲得すべく、見えないネットの外から繰り返し侵入を試み、その結果、ネットを食い破るようである。
【０００６】
このように、単一の侵入防止手段では、確実な効果がなかなか得られない。
【０００７】
このため、たとえばトタン板からなる囲いの周囲を電気柵で囲うなど、既存の複数の侵入防止手段を組み合わせて使用することが有効であると考えられている。上記のようにトタン板と電気柵とを組み合わせると、イノシシがトタン板を飛び越えようとしても、踏み切り位置に電気柵が存在することになる。つまり、踏み切り位置をトタン板から離すことができて、この結果、飛び越えを防止することが可能となる。
【０００８】
しかし、複数の手段を組み合わせるのは、設置に手間がかかる上に、場所も広く必要である。
【０００９】
このような不都合を考慮すれば、単一の手段で侵入防止を図ることが好ましい。
【００１０】
なお、ネットからなる防獣ネットにおいて、下記特許文献１に開示されているように、設置したときに垂直方向上部とすべき部分を粗い網目に形成し、垂直方向下部とすべき部分を細かい網目に形成して、大小さまざまな動物の侵入を防止できるようにしたものがある。防獣ネットの色についての言及はないが、一般的には緑色や黒色、白色である。しかし、この防獣ネットは、図５に示したように、細かい網目部分１０１から内部の作物１０２を見ることができるので、上記の如くイノシシに対しては確実な侵入防止を図れない難点がある。
【００１１】
【特許文献１】特開２００１−７８６４８号公報
【発明の開示】
【発明が解決しようとする課題】
【００１２】
そこで、この発明は、単一の手段でより確実にイノシシの侵入を防止することができるようにすることを主たる課題とする。
【課題を解決するための手段】
【００１３】
そのための手段は、イノシシの侵入を防止すべく侵入防止区域を囲うイノシシ用防獣ネットであって、使用時において上下方向となる幅方向に、透視を不可能にする目合の密織り部と、透視を可能にする目合の粗織り部とが併設され、これら密織り部と粗織り部とが、青色又は青紫色の線状体で形成されたイノシシ用防獣ネットである。青色又は青紫色は、イノシシが明確に識別できる色である。
【００１４】
このような構成のイノシシ用防獣ネットは、侵入防止区域を取り囲むようにして地面上に設置され使用される。設置は、密織り部が上下方向の下方に、粗織り部が上下方向の上方になるように行う。
【００１５】
すると、イノシシには、壁のように前方に立ちはだかる密織り部を明確に識別できる。換言すれば、イノシシに対してイノシシ用防獣ネットの存在を明示して、内側の侵入防止区域を視覚的に完全に遮断することができる。また、粗織り部からは内側の侵入防止区域を見ることはできるが、イノシシには粗織り部を構成する線状体は明確に識別できるので、その存在を明示することができる。
【００１６】
この結果、障害物（イノシシ用防獣ネット）があるということをイノシシに明確に認識させることができ、イノシシの侵入意欲を抑えることが可能となる。イノシシは警戒心が強く臆病な動物である。このため、はっきりと分かる障害物に対しては、安全性が認識できない限り非常に用心深くなるので効果がある。
【００１７】
特に、上側に位置する粗織り部の上側部分に、外方に向けて傾斜する返し部を設けると、イノシシにとっては、上方に手前がわに向けて延びるに返し部がはっきりと見えるので、立体感のある障害物とすることができる。このため、立体感のあるものが苦手なイノシシに対して、さらに警戒心を煽ることが可能で、また、飛び越えようとしても踏み切り位置をさらに後方にずらせ、飛び越えを阻止することも可能となる。
【００１８】
同様に、下側に位置する密織り部の下側部分に、外方に向けて延びて地面を這う被覆部を設けると、イノシシにとっては、下方に手前がわに向けて延びる被覆部がはっきりと見えるので、立体感のある障害物とすることができ、さらに警戒心を煽ることができるとともに、２０ｃｍの隙間もあれば侵入してくるというイノシシの侵入を防止できる。この被覆部はまた、イノシシの足が触れるとイノシシに絡みつくような感じを与えるので、このことによってもイノシシの侵入防止を図ることができる。
【００１９】
また、密織り部と粗織り部との境界部分や、上記の返し部、被覆部の境界部分に線材を保持することで、設置時に各部をきれいに張ることができ、障害物を明示させる効果を高めることができる。
【００２０】
また、ネットからなるので、柔軟性があり、起伏や傾斜のある地面に対しても、地面との間に隙間を作らないように容易に設置できる。このため、完全に遮蔽でき、侵入防止効果の確実性を高めることが可能となる。
【発明の効果】
【００２１】
以上のように、この発明によれば、従来のようにイノシシの侵入を物理的に食い止めようとするだけではなく、イノシシに対して障害物の存在を明示して、内側の侵入防止区域を遮蔽する。この結果、臆病な性質のイノシシの侵入意欲を抑えて、イノシシの侵入を防止することができる。しかも、このイノシシ用防獣ネットのみで、より確実にイノシシの侵入を防止することが可能である。
【発明を実施するための最良の形態】
【００２２】
この発明を実施するための一形態を、以下図面を用いて説明する。  
図１は、イノシシ用防獣ネット１１（以下、「ネット」という。）を設置した状態の一部分の斜視図であり、図２は、ネットの展開状態を示す表面図である。
【００２３】
これらの図に示すように、ネット１１は、使用時に上下方向となる幅方向に並ぶ密織り部２１と粗織り部３１とを有する。密織り部２１と粗織り部３１は目合が異なる。
【００２４】
密織り部２１は、イノシシが密織り部２１を透かして反対側が見えないような目合に形成される。数ミリの隙間を有するも状態であるも、隙間のない状態であるもよい。
【００２５】
一方、粗織り部３１は、イノシシが粗織り部３１を通して反対側を見えないような大きさの目合に形成される。その大きさは、通風性やイノシシ以外の小動物の運動能力等を考慮して適宜設定される。たとえば１０〜２０ｍｍくらい、好ましくは１６ｍｍ程度であるとよい。
【００２６】
このように密織り部２１と粗織り部３１を形成（織成、編成）する線状体は、たとえばポリエチレン等の合成樹脂製モノフィラメントやフラットヤーンが用いられるが、その他の適宜の素材で構成することもできる。形成は、平織やラッセル編み等の適宜の方法で行われる。  
そして、線状体の色は、イノシシが明確に識別できる青色又は青紫色である。
【００２７】
上記の密織り部２１は、使用時において上下方向の下方になる部分で、地面から立ち上がる立ち上がり面部２２と、該立ち上がり面部２２の下端から外方に向けて延びて地面を這う被覆部２３とを有する。
【００２８】
上記の粗織り部３１は、使用時において上下方向の上方になる部分で、上記の立ち上がり面部２２の上方で垂直に張る垂直面部３２と、該垂直面部３２の上端から外方に向けて斜めに延びる返し部３３とを有する。
【００２９】
また、密織り部２１と粗織り部３１との境界部分、立ち上がり面部２２と被覆部２３との境界部分、垂直面部３２と返し部３３との境界部分には、合成樹脂等の適宜の素材からなるロープ４１を保持している。また、ネット１１における幅方向の両側、すなわち被覆部２３と返し部３３の端縁にもロープ４１を保持している。ロープ４１の保持は、袋状になるように二重編みした部分に通したり、ラッセル編みにより形成された網目にジクザグに通したりして適宜行えばよい。ロープ４１は、ネット１１の長さ方向に相対移動可能であり、その長さは適宜設定される。なお、ロープ４１の色は青色や青紫色でなくともよい。
【００３０】
上記各部の長さは、適宜設定されるが、例を示すと、密織り部２１の立ち上がり面部２２は、イノシシの目の高さを考慮すると、６０〜１００ｃｍ程度、好ましくは７０〜８０ｃｍ程度に設定するとよい。また、被覆部２２は、３０ｃｍ以上、返し部３３は２０〜３０ｃｍ程度に設定すると、イノシシに対して立体的に見せることができる等の機能が得られるのでよい。垂直面部３２は、必要なネット高さから上記の立ち上がり面部２２の長さを引いた残余部分で、必要なネット高さにしたがって適宜設定される。
【００３１】
このように構成されたネット１１は、図１に示したように、杭部材５１、返し部材５２、パッカー５３、押え板５４およびペグ５５を用いて設置される。
【００３２】
杭部材５１は、下端部が地面に打ち込まれて立てられるもので、丸棒状に形成されている。風やイノシシ等の動物によって倒れたりしないように強度のある材質のものが使用される。
【００３３】
返し部材５２は、杭部材５１の上端部に固定するもので、杭部材５１に対して固定する固定部５２ａと、杭部材５１の長さ方向から所定角度θ、たとえば１５〜３０度くらい傾斜するアーム部５２ｂを有する。アーム部５２ｂの長さは、ネット１１の返し部３３の長さに応じて設定されている。
【００３４】
パッカー５３は、ネット１１の一部を杭部材５１の上で押えて杭部材５１に対して固定するもので、周知の構造である。
【００３５】
押え板５４は、ネット１１を押えるのに必要な適宜大の円板状に形成され、２個の孔を有する。
【００３６】
ペグ５５は、Ｕ字状に形成され、両側の刺込部分を上記押え板の孔を通して、地面に刺し込んで押え板５４とネット１１を地面に固定するものである。
【００３７】
ネット１１の設置にあたっては、まず、侵入防止区域の外周位置に、適宜間隔をあけて杭部材５１を打ち込み、真っ直ぐに立てる。返し部材５２は予め固定しておくも、後から固定するも、いずれでもよい。
【００３８】
つぎに、保持したロープ４１と、別体のパッカー５３を用いてネット１１を張る。ネット１１の返し部３３は、返し部材５２のアーム部５２ｂに、垂直面部３２は杭部材５１の上側部分に、立ち上がり面部２２は杭部材５１の下側部分に、ロープ４１に張力をかけた状態にして固定する。固定は、ロープ４１の両端部や中間部を杭部材５１等に縛り付けて行う。ロープ４１は、ネット１１上を相対移動可能であるで、ロープ４１に張力をかけた状態で張ることができる。
【００３９】
このとき、ロープ４１を真っ直ぐに張ることで、立ち上がり面部２２や垂直面部３２、返し部３３、被覆部２３が直線的にきれいになり、各部の境をはっきりとさせ、人工構造物らしい印象をイノシシに与えることができる。
【００４０】
そして、被覆部２３は、地面を這わせ、その適宜位置に、押え板５４を当ててペグ５５で固定する。イノシシは鼻を使えば重量物でも容易に移動させることができるので、ペグ５５はきっちりと打ち込んでおく。また、ネット１１は合成樹脂製の線状体からなり柔軟であるので、地面の起伏や傾斜に十分に対応させて隙間ができないように留意する。
【００４１】
このような手順で侵入防止区域を囲うと、図３に示したような状態になる。なお、図３では、杭部材等を省略して表している。
【００４２】
また、ネット１１を設置するに際して、ネット１１の周囲にイノシシが身を隠せるような茂みがある場合には、それを除去しておく。つまり、茂み６１までの距離Ｌを長くとる。イノシシは臆病な性格であるが、安全だと分かれば大胆な行動をとるという一面を持っている。このため、手近な位置にすぐに身を隠せる場所があれば、ネット１１をじっくりと観察され、侵入を試みられる可能性が考えられるからである。
【００４３】
上記のようにして設置されたネット１１は、イノシシから見ると図４に示したような状態に見える。
【００４４】
ネット１１を構成する線状体が青色又は青紫色であるので、イノシシはネット１１の存在を明確に認識できる。そして、密織り部２１のうち立ち上がり面部２２は、壁のように立ちはだかるとともに、被覆部２３は、立ち上がり面部２２の下端から手前がわに延びるように迫って見える。また、粗織り部３１のうち垂直面部３２は、立ち上がり面部２２の上から垂直に延び、立ち上がり面部２２と同様にイノシシの前に立ちはだかるとともに、垂直面部３２の上端から返し部３３が、手前がわに覆い被さってくるように見える。
【００４５】
このように、ネット１１の存在が明確に認識できるとともに、ネット１１が立体的に見える。しかも、ロープ４１の利用によりきれいに張った状態であるので、イノシシに人工的な障害物の印象を与えることができる。
【００４６】
このため、もともと臆病な性格で、立体感のあるものを苦手とするイノシシの侵入意欲を殺ぐことができ、イノシシの侵入を阻止することができる。いわば、従来の侵入防止手段が物理的に侵入を防止するものであるのに対して、この発明のネット１１は、イノシシの身体的能力や性格を利用して、イノシシの侵入意欲を減退させ、侵入しようとする気持ちを起させない、あるいは侵入しようとしてもそれを思いとどまらせるので、より効果的に侵入防止を図ることができる。
【００４７】
また、被覆部２３が地面を覆っているので、イノシシが被覆部２３の下をくぐろうとしたり、被覆部２３の下に穴を掘ろうとしたりしても、これを許さない。そのうえ、イノシシが被覆部２３の上に乗った場合には、イノシシには被覆部２３が足に絡みつくような感じがして嫌であるので、この点からもイノシシの侵入防止を図ることができる。
【００４８】
一方、返し部３３は上方の手前がわに延びているので、イノシシが飛び越えようとしても踏み切り位置を後方にずらして飛び越えを不可能にする。
【００４９】
このようにイノシシの侵入を防止できるネット１１は、単独の使用で効果を発揮する。このため、設置作業が容易で、コストも抑えられる。
【００５０】
この発明の構成と、上記の一形態の構成との対応において、  
この発明の線材は、上記のロープ４１に対応するも、  
この発明は、上記の構成のみに限定されるものではなく、その他の形態を採用することができる。  
たとえば、ロープに代えて保形性を有する金属製の線材を用いることができ、この場合には、紐状体としての金属製線状体は、ネットとは別体にしておき、設置時にネットに保持させるとよい。
【図面の簡単な説明】
【００５１】
【図１】イノシシ用防獣ネットの斜視図。
【図２】イノシシ用防獣ネットの表面図。
【図３】イノシシ用防獣ネットの使用状態を示す斜視図。
【図４】イノシシ用防獣ネットをイノシシから見た状態の説明図。
【図５】従来の防獣ネットをイノシシから見た状態の説明図。
【符号の説明】
【００５２】
１１…イノシシ用防獣ネット
２１…密織り部
２２…立ち上がり面部
２３…被覆部
３１…粗織り部
３２…垂直面部
３３…返し部
４１…ロープ
【図１】
2008187951.tif 000003
【図２】
2008187951.tif 000004
【図３】
2008187951.tif 000005
【図４】
2008187951.tif 000006
【図５】
2008187951.tif 000007